(57)【特許請求の範囲】
【請求項１】
カード状記録媒体の媒体発行装置に設けられる使用済み媒体廃棄装置であって、
廃棄すべき使用済み媒体を保管する廃棄媒体保管カセットと、
前記使用済み媒体の静電気を除去する除電ブラシを有し、前記使用済み媒体を受け取って前記廃棄媒体保管カセット内に送り出す廃棄媒体搬送装置と、を備え、
前記廃棄媒体搬送装置が、前記使用済み媒体を前記廃棄媒体保管カセットに向けて搬送するローラと、該ローラから前記廃棄媒体保管カセット側に設けられ、該ローラで搬送される使用済み媒体を検知するとともに下方に付勢するレバー式のセンサーとを有することを特徴とする使用済み媒体廃棄装置。
【請求項２】
前記廃棄媒体搬送装置は、当該廃棄媒体搬送装置内の媒体搬送路を斜めに傾斜して配置し、前記使用済み媒体を前記廃棄媒体保管カセット内に傾斜した状態で落下させる装置であることを特徴とする請求項１に記載の使用済み媒体廃棄装置。
【請求項３】
前記レバー式のセンサーは、前記使用済み媒体の幅方向の中央に設けられていることを特徴とする請求項１又は２に記載の使用済み媒体廃棄装置。
【請求項４】
前記除電ブラシと前記レバー式のセンサーとは、前記使用済み媒体が搬送される媒体搬送路の進行方向に一直線に設けられていることを特徴とする請求項１〜３のいずれかに記載の使用済み媒体廃棄装置。
【請求項５】
前記廃棄媒体保管カセットは着脱可能に設けられ、当該カセットの側面に形成された開口部には、当該カセット内に保管される使用済み媒体の量を検知するセンサーが配置されていることを特徴とする請求項１〜４のいずれかに記載の使用済み媒体廃棄装置。
【請求項６】
前記廃棄媒体保管カセットの底面が、前記廃棄媒体搬送装置内の媒体搬送路の傾斜と同じ方向に傾斜していることを特徴とする請求項２〜５のいずれかに記載の使用済み媒体廃棄装置。
【請求項７】
請求項１〜６のいずれかに記載の使用済み媒体廃棄装置を備えた媒体発行装置。
【請求項８】
前記媒体発行装置は、使用済み媒体の廃棄とともに新規媒体を発行する更新発行が可能であって、前記媒体発行装置が備える廃棄媒体搬送装置は、前記新規媒体の発行の成否が確定するまで前記使用済み媒体を保持する一時保留部であることを特徴とする請求項７に記載の媒体発行装置。
【発明の詳細な説明】
【技術分野】
【０００１】
本発明は、使用済み媒体廃棄装置及び媒体発行装置に関し、さらに詳しくは、磁気カードやＩＣカード等の媒体発行装置に設けられる使用済み媒体廃棄装置、及びその使用済み媒体廃棄装置を備えた媒体発行装置に関する。
【背景技術】
【０００２】
近年、磁気カードやＩＣカード等の記録媒体が多方面で広く用いられており、商品やサービスの購入代金支払いの際に利用するための一定金額の価値を有するカード型の有価証券であるプリペイドカードが普及している。また、このような記録媒体には、繰り返し貨幣価値を追加（チャージ）して利用できるカードもある。その例としては、鉄道やバスなどの公共交通機関を利用する際に利用できる運賃、乗車回数や利用期間を磁気カードやＩＣカードなどに記録した各種の乗車カードがある。こうした中、各種の記録媒体を新規に発行する装置や、新しい媒体に更新することができる装置が検討されている。
【０００３】
例えば下記特許文献１には、多種のカードを、カード毎の処理を行なうユニットに振り分けて搬送する手前の共通搬送路中に、搬送路切替ガイドを回動可能に設け、その搬送路切替ガイドの周囲に、前記各ユニットに連続するユニットガイドを放射状に配置した搬送路切替部を設け、搬送路切替部に一時保留したカードを前記各ユニットガイドに選択的に接続するようにしたカード処理装置が提案されている。
【０００４】
前記のカード処理装置によるカードの新規発行は、積層されたリライタブルカード（書き換え可能カードのこと）をホッパーより１枚毎出し、データ印字し、一旦搬送路切替部で保留し、さらに、カードの種類が磁気カードであるかＩＣカードであるか、即ち、いずれのデータ処理をするかにより、それぞれの書き込み機能部に機能別に振り分け処理し、その書き込み機能部で書き込み処理した後に受け取りゲートまで搬送し、新規カードを発行する。また、カードの更新発行においては、前記受け取りゲートと同じカード挿入ゲートに投入された磁気カード又はＩＣカードを、カードの種類に対応した書き込み機能部に振り分け搬送し、その書き込み機能部で所定のデータを読み書きし、再度受け取りゲートまで搬送して更新発行する。
【特許文献１】特開２００５−２４２４３５号公報
【発明の開示】
【発明が解決しようとする課題】
【０００５】
しかしながら、前記特許文献１に記載のような従来のカード処理装置には以下に示すような不具合がある。例えば、不要になったカード入れがなく、廃棄するカードの処理はユーザーに委ねざるを得ないという難点がある。また、カードの廃棄装置を設けた場合であっても、カードは装置内の搬送路を搬送されて帯電し易く、しかも帯電したカードが廃棄用スタッカの壁面等に張り付き易いので、規定の収納量に達する前にセンサーが感知し、誤った情報を通知してしまうという不具合がある。
【０００６】
本発明は、上記課題を解決するためになされたものであって、その目的は、磁気カードやＩＣカード等の媒体の更新発行時において、廃棄することになる使用済み媒体を、容易且つ不具合なく廃棄することができる使用済み媒体廃棄装置及び全体として媒体廃棄の利便性を向上させた媒体発行装置を提供することにある。
【課題を解決するための手段】
【０００７】
上記課題を解決するための本発明の使用済み媒体廃棄装置は、カード状記録媒体の媒体発行装置に設けられる使用済み媒体廃棄装置であって、廃棄すべき使用済み媒体を保管する廃棄媒体保管カセットと、前記使用済み媒体の静電気を除去する除電ブラシを有し、前記使用済み媒体を受け取って前記廃棄媒体保管カセット内に送り出す廃棄媒体搬送装置と、を備え、前記廃棄媒体搬送装置が、前記使用済み媒体を前記廃棄媒体保管カセットに向けて搬送するローラと、該ローラから前記廃棄媒体保管カセット側に設けられ、該ローラで搬送される使用済み媒体を検知するとともに下方に付勢するレバー式のセンサーとを有することを特徴とする。
【０００８】
この発明によれば、廃棄すべき使用済み媒体を保管する廃棄媒体保管カセットと、使用済み媒体を受け取って廃棄媒体保管カセット内に送り出す廃棄媒体搬送装置とを有するので、使用済み媒体の処理をユーザーに委ねることなく行なうことができる。また、廃棄媒体搬送装置が使用済み媒体の静電気を除去する除電ブラシを有するので、使用済み媒体が廃棄媒体保管カセットの内壁面等に張り付くことを防ぐことができ、規定の収納量を検知するセンサー等による誤情報を防ぐことができる。また、廃棄媒体保管カセット内に送り出す使用済み媒体を検知するセンサーを有するので、使用済み媒体の廃棄の実行を媒体発行装置が備える上位の制御装置に出力することができる。さらに、前記のセンサーが使用済み媒体を下方に付勢するレバー式のセンサーであるので、例えば使用済み媒体が廃棄媒体保管カセット内へ落下する際の反転を防止するなど落下姿勢のばらつきを抑制して使用済み媒体の落下をアシストすることができる。
【０００９】
本発明の使用済み媒体廃棄装置において、前記廃棄媒体搬送装置は、当該廃棄媒体搬送装置内の媒体搬送路を斜めに傾斜して配置し、前記使用済み媒体を前記廃棄媒体保管カセット内に傾斜した状態で落下させる装置であることを特徴とする。
【００１０】
この発明によれば、傾斜に沿って使用済み媒体を廃棄媒体保管カセット内に落下させることができるので、廃棄媒体搬送装置から廃棄媒体保管カセットへの媒体の受け渡し構造を容易で確実な構造で省スペース化することができる。また、廃棄媒体保管カセットへの媒体の落下姿勢のばらつきを抑え、使用済み媒体を廃棄媒体保管カセット内に整列した態様で積層させることができる。
【００１１】
本発明の使用済み媒体廃棄装置において、前記レバー式のセンサーは、前記使用済み媒体の幅方向の中央に設けられていることを特徴とする。
【００１３】
本発明の使用済み媒体廃棄装置において、前記除電ブラシと前記レバー式のセンサーとは、前記使用済み媒体が搬送される媒体搬送路の進行方向に一直線に設けられていることを特徴とする。
【００１５】
本発明の使用済み媒体廃棄装置において、前記廃棄媒体保管カセットは着脱可能に設けられ、当該カセットの側面に形成された開口部には、当該カセット内に保管される使用済み媒体の量を検知するセンサーが配置されていることを特徴とする。
【００１６】
この発明によれば、廃棄媒体保管カセットは着脱可能に設けられ、かつ、廃棄媒体保管カセットの側面に形成された開口部には、当該カセット内に保管される使用済み媒体の量を検知するセンサーが配置されているので、廃棄媒体保管カセットを取り外して使用済み媒体の廃棄処理することが必要であるとの情報を、媒体発行装置が備える上位の制御装置に出力することができる。
【００１７】
本発明の使用済み媒体廃棄装置において、前記廃棄媒体保管カセットの底面が、前記廃棄媒体搬送装置内の媒体搬送路の傾斜と同じ方向に傾斜していることを特徴とする。
【００１８】
この発明によれば、廃棄媒体保管カセットの底面が廃棄媒体搬送装置内の媒体搬送路の傾斜と同じ方向に傾斜しているので、傾斜した状態で落下した使用済み媒体の落下姿勢を変化させることなく、廃棄媒体保管カセット内の傾斜底面で受けることができる。その結果、使用済み媒体を廃棄媒体保管カセット内に整列した態様で積層させることができる。
【００１９】
本発明は、上記本発明に係る使用済み媒体廃棄装置を備えた媒体発行装置であることを特徴とする。この発明によれば、磁気カードやＩＣカード等の媒体の更新発行時において、廃棄することになる使用済み媒体を容易且つ不具合なく廃棄することができる使用済み媒体廃棄装置を備えるので、媒体発行装置全体としての利便性を向上させることができる。
【００２０】
上記本発明の媒体発行装置は、使用済み媒体の廃棄とともに新規媒体を発行する更新発行が可能であって、前記媒体発行装置が備える廃棄媒体搬送装置は、前記新規媒体の発行の成否が確定するまで前記使用済み媒体を保持する一時保留部であることが好ましい。この発明によれば、廃棄媒体搬送装置で使用済み媒体を一時保留するので、例えば媒体の発行エラーを修復することができ、媒体の更新発行を正確に行なうことができる。
【発明の効果】
【００２１】
本発明によれば、使用済み媒体の処理をユーザーに委ねることなく行なうことができるとともに、使用済み媒体が廃棄媒体保管カセットの内壁面等に張り付いたり、反転したりすることを防いで規定の収納量を検知するセンサー等による誤情報を防ぐことができるので、ユーザーの手を煩わせることなく、しかも装置管理にも不具合が生じ難い使用済み媒体廃棄装置及び全体として媒体廃棄の利便性を向上させた媒体発行装置を提供することができる。
【発明を実施するための最良の形態】
【００２２】
以下、本発明の使用済み媒体廃棄装置について図面を参照しつつ説明する。なお、本発明は、その技術的特徴を有する範囲において、以下の説明及び図面に限定されるものではない。
【００２３】
まず、本発明の使用済み媒体廃棄装置の詳細を説明する前に、本発明の使用済み媒体廃棄装置が好ましく装着される媒体発行装置の全体構成について説明する。なお、使用済み媒体廃棄装置の装着が以下に説明する媒体発行装置に限定されないことは言うまでもない。
【００２４】
（媒体発行装置）
図１は、本発明の使用済み媒体廃棄装置が好ましく装着される媒体発行装置の一例を示す透視側面図である。図１に示す媒体発行装置１は、カード状記録媒体（単に「媒体２」ということがある）を発行する装置であって、装置奥側に配置され、媒体２を図中の上下方向に積層して収納するとともに、積層された媒体２のうち最低位の媒体２ａを１枚毎に繰り出し可能な媒体繰り出し部２１を有するホッパー２０と、媒体２の積層方向に対して鋭角をなす方向へ向けて、媒体繰り出し部２１から繰り出された媒体２を搬送する傾斜搬送路３０と、傾斜搬送路３０の媒体繰り出し部２１とは反対側の一端である手前側上方の対角位置に配置された、媒体２を排出する媒体排出口１０と、傾斜搬送路３０上に設けられ、媒体２に対して所定情報の書き込みを行なう情報書き込み機構（例えば印字装置７０等）と、媒体排出口１０の内側下方に設けられた、廃棄媒体保管カセット５０及び廃棄媒体搬送装置９０を有する使用済み媒体廃棄装置と、を少なくとも備えている。
【００２５】
さらに詳しくは、図１に示す媒体発行装置１は、媒体排出口１０と傾斜搬送路３０との間に設けられ、媒体２を回動させてその搬送される方向を切り替える第１の媒体回動部８０と、媒体繰り出し部２１と傾斜搬送路３０との間に設けられ、媒体２を回動させてその搬送される方向を切り替える第２の媒体回動部６０とを備えている。また、媒体排出口１０の内側には、所定情報の読み取り、書込み又は書換えのために媒体２に対して非接触の通信処理を行なう非接触通信部１００を備えている。また、図１に示すように、第１の媒体回動部８０から媒体２を受け取って磁気データの読み取り又は書込みを行なう磁気媒体リーダライタ１２０が第１の媒体回動部８０の下に設けられていてもよいし、第２の媒体回動部６０の上方にクリーニング媒体保持部１１０を備えていてもよい。
【００２６】
媒体発行装置１の全体的な配置構成として、ホッパー２０が備える媒体繰り出し部２１と、媒体２を発行するための媒体排出口１０とが、傾斜搬送路３０を間に挟んで装置側面視で対角位置に配置される。そのため、媒体排出口１０の内側下方にスペースを与えることができ、そのスペースに、廃棄媒体保管カセット５０（リジェクトカセット又は廃棄媒体保管部ともいう）及び廃棄媒体搬送装置９０（廃棄媒体搬送部ともいう）を有する本発明に係る使用済み媒体廃棄装置を設けることができる。なお、こうした配置構成は、装置１全体の長さ（図１を平面視した場合の左右の長さ）を短縮して装置全体の大きさを小さくすることができ、さらには、装置外形を作製し易い矩形状とすることができる。
【００２７】
以下、媒体発行装置１の構成等について簡単に説明する。図中、「Ｓ」はセンサーを表している。
【００２８】
ホッパー２０は、スタッカ（カセット式媒体収納容器）２５と媒体送り出し機構２２とより構成され、スタッカ２５（カセット式媒体収納容器）と媒体送り出し機構２２との間には媒体繰り出し部２１が形成されている。スタッカ２５（カセット式媒体収納容器）は、媒体２を積層収納する媒体収納容器で、媒体発行装置１の一部としてホッパー２０から着脱可能にカセット式媒体収納容器として設けられている。なお、本実施の形態では、カセット式媒体収納容器２５と示す。このカセット式媒体収納容器２５内には、接触式又は非接触式のＩＣカードや磁気カード等の媒体２が収納される。その媒体２は、後述する媒体排出口１０と略等しい高さの最上位部２７よりも下側に積層して収納されている。なお、そうした媒体２は、利用期限や貨幣価値等の各種情報が完全に記録されていない発行前ものである。また、エンボスの有無は問わない。カセット式媒体収納容器２５の下側には、図１に示すように、ゲート部２３が設けられており、このゲート部２３から、後述する媒体送り出し機構２２によって最低位の媒体２ａが一枚毎送り出される。このゲート部２３は、最低位の媒体２ａを一枚のみ送り出すことができる所定の隙間を設けるように、カセット式媒体収納容器２５の底板とカセット式媒体収納容器２５の側板をなす基準板との間に設けられている。
【００２９】
また、カセット式媒体収納容器２５には、カセット式媒体収納容器２５をホッパー２０から脱着したときにゲート部２３を塞ぐシャッタ２４を有するシャッタ構造（図示しない）が設けられていてもよいし、カセット式媒体収納容器２５内に収容される媒体２を上方から押し下げるように作用するおもり２６が設けられていてもよい。
【００３０】
媒体送り出し機構２２は、ホッパー２０の底部にカセット式媒体収納容器２５と対向して配置され、カセット式媒体収納容器２５内に収容される複数の媒体２のうち最低位に載置された媒体２ａをカセット式媒体収納容器２５（即ちホッパー２０）の外に送り出す装置である。この媒体送り出し機構２２は、カセット式媒体収納容器２５の最低位に載置されたカード状媒体２ａをゲート部２３を経由してカセット式媒体収納容器２５（即ちホッパー２０）の外に押し出す押出部材２２１を備えている。この押出部材２２１には、カード状媒体２ａの後端縁に係合してその媒体２ａを押し出す爪部が形成されていることが好ましい
【００３１】
押出部材２２１は、例えば２つのスプロケット２２３，２２３間に掛け渡されたチェーン２２２に取り付けられている。このスプロケットは、例えば図１に示すように、ステッピングモータ等の駆動手段２２４により伝動ベルト２２５等を介して駆動制御することができ、これにより押出部材２２１は、カード状媒体２ａを押し出すように駆動される。
【００３２】
媒体排出口１０は、媒体発行装置１から最終的に媒体２を排出するゲートであり、装置前面であり且つ装置上部に設けられている。上記のホッパー２０の媒体繰り出し部２１から繰り出された媒体２は、ホッパー２０と媒体排出口１０との間に設けられた傾斜搬送路３０を経由して、媒体排出口１０に搬送される。なお、傾斜搬送路３０は、媒体繰り出し部２１から繰り出された媒体２を媒体排出口１０へ向けて搬送する搬送路である。この媒体排出口１０は、図１においては媒体発行装置１の上部に設けられているので、その媒体排出口１０の装置内側下方には広いスペースを確保することができる。そのスペースには、廃棄すべき使用済み媒体を保管する本発明に係る廃棄媒体保管カセット５０が配置されている。
【００３３】
この媒体排出口１０は、媒体２を新規に発行する場合は文字通り媒体排出口となるが、更新発行や書き換え発行する場合は、所定情報を書き換えるべき使用中の媒体がこの媒体排出口１０から挿入される媒体挿入口としても機能するとともに、所定情報の書き込み又は書き換えを完了した前記媒体を排出する媒体排出口としても機能する。従って、この媒体排出口１０が媒体挿入口及び媒体排出口の両方の機能を有する場合、媒体排出口が媒体の取り込み口としても用いられるので、磁気カードやＩＣカード等の新規発行のみならず、更新発行や書き換え発行用の媒体発行装置として用いられる。
【００３４】
なお、媒体排出口１０には、一般的な媒体排出口ないし挿入口に設けられている各種の機能を付加させてもよく、例えば、図１に示すように、シャッタ１１とシャッタ用ソレノイド１２とを有するシャッタ機構１３を備えていてもよい。また、図示しないが、媒体排出口１０には、挿入される媒体種の情報を予め読み取るプリヘッドを備えていてもよいし、また、挿入される媒体の幅寸法の適否を検査する幅センサー等が設けられていてもよい。
【００３５】
傾斜搬送路３０は、媒体排出口１０とホッパー２０との間に設けられ、ホッパー２０の媒体繰り出し部２１から繰り出された媒体２を媒体排出口１０へ向けて搬送する搬送路である。傾斜搬送路３０には、媒体２を上下から挟んで所定の方向に搬送する対向した搬送用のローラ（以下、対向ローラともいう）３１，３２，３３が設けられている。上述したように、媒体排出口１０は装置上部に設けられ、ホッパー２０の媒体繰り出し部２１は装置下方に設けられているので、その間に配置されて媒体２の搬送路となる傾斜搬送路３０は、装置１の枠体の対角線状に設けられている。対角線状に設けられた傾斜搬送路３０は、同じ長さの搬送路が必要な場合、搬送路を水平配置した場合に比してその長さを短くすることができるので、装置全体の大きさ（特に図１における左右方向の長さＬ）を小さくして省スペース化を図ることができる。
【００３６】
情報書き込み機構は、傾斜搬送路３０上に設けられて、媒体２に対して所定情報の書き込みを行なうものであり、図１に示すような印字装置７０を例示できる。この情報書き込み機構は、所定の情報の書き込み及び書き換えが可能であることが好ましく、具体的には、図１中の印字装置７０に示すように、印字ヘッド７１や消去ヘッド７２を有することが好ましい。
【００３７】
情報書き込み機構である印字装置７０は、ホッパー２０側から媒体排出口１０に向かって、媒体搬送用の対向ローラ３１、消去ヘッド７２、媒体搬送用の対向ローラ３２、印字ヘッド７１、媒体搬送用の対向ローラ３３の順で配設されている。消去ヘッド７２と印字ヘッド７１は、それぞれがプラテンローラ３４を対向配置し、そのプラテンローラ３４との間に媒体２を挟むようにして、媒体２に印字された情報を消去し又は新たな情報を印字する。
【００３８】
印字装置７０には、媒体表面に対して消去ヘッド７２を昇降させる消去ヘッド駆動モータ７３が設けられ、また、媒体表面に対して印字ヘッド７１を昇降させる印字ヘッド駆動モータ７４が設けられていることが望ましい。こうした各ヘッドの駆動モータ７３，７４は、媒体２に情報を印字することが必要な際又は媒体２に印字された情報を消去することが必要な際にそれぞれ独立に作動し、プラテンローラ３４上の媒体２に接触するまで、消去ヘッド７２又は印字ヘッド７１を降下させる。一方、上記の消去や印字が終了した場合は、プラテンローラ３４上の媒体２から離れる方向に消去ヘッド７２又は印字ヘッド７１を上昇させる。消去や印字が必要でない場合は、各ヘッドの駆動モータ７３，７４は動作せず、消去ヘッド７２及び印字ヘッド７１は傾斜搬送路３０から退避した位置に保持される。なお、駆動モータ７３，７４は、図示しないギアやカム等の昇降機構によって、消去ヘッド７２及び印字ヘッド７１を駆動する。
【００３９】
第１の媒体回動部８０は、図１に示すように、媒体排出口１０と傾斜搬送路３０との間に設けられ、媒体２を回動させてその搬送される方向を切り替えるように動作する。この第１の媒体回動部８０は、媒体２を保持及び搬送する回動搬送路８１と、回動搬送路８１の両端近傍に設けられた対向ローラ８２，８３と、回動搬送路８１の長手方向の中央位置を軸中心とする回動軸８４とを少なくとも有している。
【００４０】
回動軸８４は、ベルト８６を介して回動軸用モータ８５で回動させることができ、回動搬送路８１の方向を、傾斜搬送路３０と一致接続させるように回動させたり、媒体排出口１０に向かうように回動させることができる。また、後述するように、廃棄媒体保管カセット５０が媒体排出口１０の下側に設けられる場合には、その廃棄媒体搬送装置９０の搬送路９１と一致させるように回動させることができる。
【００４１】
第１の媒体回動部８０を所定の角度回動させるための回動制御は、各種の方法で行なうことができる。例えばステッピングモータとロータリーエンコーダとで回動制御してもよいし、光電センサーと所定形状に作製したポジショニングスリット（遮蔽スリットともいう）とで回動制御してもよい。いずれの場合であっても、傾斜搬送路３０と一致させる角度と、媒体排出口１０に向かう搬送路に一致させる角度の、少なくとも２つの角度に精度良く回動させる。また、さらに複数の角度に制御する場合には、それぞれの角度に精度良く回動させる。第１の媒体回動部８０は、右回りに回転させることもできるし左回りに回転させることもできる。そうした回転動作により、媒体２の搬送時間を短縮することができる。
【００４２】
この第１の媒体回動部８０は、（Ａ）傾斜搬送路３０から搬送された媒体２を媒体排出口１０に搬送する場合には、第１の媒体回動部８０の搬送路８１を傾斜搬送路３０と同じ角度に傾斜させておき、傾斜搬送路３０から搬送された媒体２を対向ローラ８２，８３により一旦保持し、次いで所定角度回転して媒体排出口１０側の搬送路１０１と一致させ、次いで第１の媒体回動部８０から対向ローラ８２，８３により媒体２を送り出す。また、（Ｂ）媒体排出口１０から搬送された媒体２を傾斜搬送路３０に搬送する場合には、第１の媒体回動部８０の搬送路８１を媒体排出口１０側の搬送路１０１と一致させておき、媒体排出口１０から搬送された媒体２を対向ローラ８２，８３により一旦保持し、次いで所定角度回転して傾斜搬送路３０の角度と一致させ、次いで第１の媒体回動部８０から媒体２を送り出す。
【００４３】
第２の媒体回動部６０は、図１に示すように、媒体繰り出し部２１と傾斜搬送路３０との間に設けられ、媒体２を回動させてその搬送される方向を切替るように動作する。この第２の媒体回動部６０は、媒体２を保持及び搬送する回動搬送路６１と、回動搬送路６１の両端近傍に設けられた対向ローラ６２，６３と、回動搬送路６１の長手方向の中央位置を軸中心とする回動軸６４とを少なくとも有している。
【００４４】
回動軸６４は、ベルト６６を介して回動軸用モータ６５で回動させることができ、回動搬送路６１の方向を、傾斜搬送路３０と一致接続させるように回動させたり、媒体繰り出し部２１と同じ水平方向に回動させることができる。また、後述するように、クリーニング媒体保持部１１０がこの第２の媒体回動部６０の上側に設けられる場合には、そのクリーニング媒体保持部１１０の搬送路１１１と一致させるように回動させることができる。
【００４５】
第２の媒体回動部６０を所定の角度回動させるための回動制御も上記第１の媒体回動部８０と同様、各種の方法で行なうことができる。例えばステッピングモータとロータリーエンコーダとで回動制御してもよいし、光電センサと所定形状に作製したポジショニングスリット（遮蔽スリットともいう）とで回動制御してもよい。いずれの場合であっても、傾斜搬送路３０と一致させる角度と、媒体繰り出し部２１と同じ水平方向の、少なくとも２つの角度に精度良く回動させる。また、さらに他の角度に制御する場合には、その角度に精度良く回動させる。第２の媒体回動部６０は、右回りに回転させることもできるし左回りに回転させることもできる。そうした回転動作により、媒体２の搬送時間を短縮することができる。
【００４６】
この第２の媒体回動部６０は、（Ａ）媒体繰り出し部２１から搬送された媒体２を傾斜搬送路３０に搬送する場合には、第２の媒体回動部６０の搬送路６１を媒体繰り出し部２１と同じ水平にし、媒体繰り出し部２１から搬送された媒体２を対向ローラ６２，６３により一旦保持し、次いで所定角度回転して傾斜搬送路３０と同じ角度にし、次いで第２の媒体回動部６０から対向ローラ６２，６３により媒体２を傾斜搬送路３０に送り出す。また、（Ｂ）傾斜搬送路３０から搬送された媒体２を再び傾斜搬送路３０に搬送して媒体２に印字したり印字消去したりする場合には、第２の媒体回動部６０の搬送路６１を傾斜搬送路３０の角度と一致させておき、傾斜搬送路３０から搬送された媒体２を対向ローラ６２，６３により一旦保持し、第２の媒体回動部６０を回動させることなく再び傾斜搬送路３０に送り出す。
【００４７】
非接触通信部１００は、媒体排出口１０の内側に設けられ、所定情報の読み取り、書き込み又は書換えのために媒体２に対して非接触の通信処理を行なう部材である。非接触通信部１００が設けられていることにより、非接触ＩＣカードに対しても適用することができる。この非接触通信部１００は、媒体排出口１０から挿入された媒体２を搬送する搬送路１０１を有し、さらに、その搬送路１０１の長手方向の両端近傍には媒体を挟んで搬送する対向ローラ１０２，１０３が設けられている。搬送路１０１の中央の一面側（図１において上側）には、非接触での通信を行なうアンテナ部１０４が設けられている。このアンテナ部１０４は、非接触ＩＣカードとの間で情報通信を行なうことができ、非接触ＩＣカードに情報の送受を行なう。なお、図１に示すように、必要に応じて、媒体２の有無を検知しアンテナ部１０４との通信の信頼性を確保したり、又は磁気媒体２の裏表の姿勢を検知して印字する磁気データ処理の方向を確認したりする目的でセンサ１０５が設けられていてもよい。
【００４８】
磁気媒体リーダライタ１２０は、第１の媒体回動部８０の下に設けられていてもよい。媒体２が有する所定情報が磁気データである場合に、第１の媒体回動部８０から媒体２を受け取って磁気データの読み取り又は書込み行なう。また、この磁気媒体リーダライタ１２０を第１の媒体回動部８０の下に設ける代わりに、第２の媒体回動部６０の上に設けてもよい。磁気媒体リーダライタ１２０は、第１の媒体回動部８０又は第２の媒体回動部６０から媒体２を受け取る搬送路１２１と、磁気データを媒体２から読みとる磁気ヘッド１２２を有している。さらに、その磁気媒体リーダライタ１２０には、媒体２を搬送する対向ローラ１２３が設けられている。対向ローラ１２３は、後述するＡ駆動モータ１４０により駆動される。その駆動力伝達は、対向ローラ１２３の一方のローラに設けた電磁クラッチ１２４により駆動切断及び接続がなされる。
【００４９】
クリーニング媒体保持部１１０は、図１に示すように、第２の媒体回動部６０の上方に設けられていてもよい。このクリーニング媒体保持部１１０は、印字装置が有する印字ヘッド７１や消去ヘッド７２をクリーニングするためのクリーニング媒体１１４を収容し、そのクリーニング媒体１１４を第２の媒体回動部６０との間で授受可能に保持する。また、媒体発行装置１においては、第１の媒体回動部８０の下側にスペースが与えられるので、このクリーニング媒体保持部１１０を第２の媒体回動部６０の上方に設ける代わりに、第１の媒体回動部８０の下に設けてもよい。
【００５０】
クリーニング媒体保持部１１０は、第２の媒体回動部６０との間でクリーニング媒体１１４を接受する搬送路１１１と、クリーニング媒体１１４を搬送する対向ローラ１１２が設けられている。こうしたクリーニング媒体保持部１１０が収容するクリーニング媒体１１４により、印字装置７０の印字ヘッド７１や消去ヘッド７２を定期的又は任意のタイミングでクリーニングすることができる。
【００５１】
電源部１３０は、図１に示すように、第１の媒体回動部８０の下方及び印字装置７０の下方のスペースに設けることができる。
【００５２】
（使用済み媒体廃棄装置）
次に、本発明に係る使用済み媒体廃棄装置について詳しく説明する。図２は、本発明の使用済み媒体廃棄装置を側面視したときの透視図である。図１及び図２に示すように、本発明の使用済み媒体廃棄装置は、廃棄すべき使用済み媒体２ｂを保管する廃棄媒体保管カセット５０と、使用済み媒体２ｂの静電気を除去する除電ブラシ９３を有し、使用済み媒体２ｂを受け取って廃棄媒体保管カセット５０内に送り出す廃棄媒体搬送装置９０とで構成されている。この使用済み媒体廃棄装置は、媒体排出口１０の内側下方に確保されたスペースに設けられている。こうして構成された使用済み媒体廃棄装置は、使用済み媒体２ｂの処理をユーザーに委ねることなく行なうことができるとともに、除電ブラシ９３が使用済み媒体２ｂの静電気を除去するので、使用済み媒体２ｂが廃棄媒体保管カセット５０の内壁面（特に媒体搬送方向前面の内壁面）等に張り付くのを防ぐことができ、規定の収納量を検知するセンサー５２等による誤情報を防ぐことができる。
【００５３】
（廃棄媒体保管カセット）
廃棄媒体保管カセット５０（リジェクトカセット又は廃棄媒体保管部ともいう）は、図１に示すように、媒体排出口１０の内側下方に設けられ、廃棄すべき使用済み媒体２ｂを保管する部材である。廃棄媒体保管カセット５０は、アルミニウム合金製又はステンレス鋼製の枠体であり、媒体発行装置１の一部をなすユニットとして着脱可能に設けられている。この廃棄媒体保管カセット５０内には、一定期間使用後の媒体で、設定された廃棄時期に至った使用済み媒体２ｂが投入され廃棄のために収容される。なお、廃棄時期の判断は、媒体に記録された情報データを非接触通信部１００又は磁気媒体リーダライタ１２０で読み取ることにより行なうことができる。なお、図１に示すように、非接触通信部１００は媒体排出口１０の内側に設けられた部材であり、磁気媒体リーダライタ１００は第１の媒体回動部８０の下側に設けられた部材である。
【００５４】
廃棄媒体保管カセット５０への使用済み媒体２ｂの投入は、廃棄媒体搬送装置９０を経由して行われる。媒体排出口１０から投入された媒体２は、すぐ後ろ（装置１の内部側）に配置された非接触通信部１００により、又は、第１の媒体回動部８０を経由して送られた磁気媒体リーダライタ１２０により、情報データが読みとられて廃棄媒体であるか否かが判断される。非接触通信部１００により廃棄すべき使用済み媒体２ｂであることが読みとられた場合、その使用済み媒体２ｂは、第１の媒体回動部８０に搬送され、そこで保持されつつ廃棄媒体搬送装置９０の角度と同じになるまで第１の媒体回動部８０が回転する。次いで、第１の媒体回動部８０から廃棄媒体搬送装置９０に使用済み媒体２ｂが搬送される。一方、磁気媒体リーダライタ１００により廃棄すべき使用済み媒体２ｂであることが読みとられた場合、その使用済み媒体２ｂは、第１の媒体回動部８０に戻され、そこで保持されつつ廃棄媒体搬送装置９０の角度と同じになるまで第１の媒体回動部８０が回転する。次いで、第１の媒体回動部８０から廃棄媒体搬送装置９０に使用済み媒体２ｂが搬送される。
【００５５】
このとき、廃棄媒体搬送装置９０に搬送された使用済み媒体２ｂは、そこで保持されずに廃棄媒体保管カセット５０に投入されてもよいが、好ましくは新規の媒体を発行するまで、すなわち新規媒体がホッパー２０から発行され、印字装置７０で印字され、非接触通信部１００で情報通信が完了したのを確認するまで保持（一時保留）されることが好ましい。そして、新規媒体への情報通信が完了したのを確認し、新規媒体が発行されてから、使用済み媒体２ｂを、一時保留部としての廃棄媒体搬送装置９０から廃棄媒体保管カセット５０に投入することが好ましい。こうした方式をとることにより、新規媒体を更新発行する場合に、情報書き込み等を確実に行ったのを確認した後に今までの非接触ＩＣカードを廃棄することができ、その結果、非接触ＩＣカードの更新発行においても、迅速且つ確実な処理を行なうことができる。
【００５６】
廃棄媒体保管カセット５０は、図１及び図２に示すように、廃棄媒体搬送装置９０から傾斜した状態で投入されるので、その底面５１は、廃棄媒体搬送装置９０の媒体搬送路９１の傾斜方向と同じ方向にほぼ同程度の角度で傾斜していることが好ましい。底面５１を例えば３０°〜５０°程度の傾斜形状にすることにより、傾斜した状態で落下した使用済み媒体２ｂの落下姿勢を変化させることなく受けることができるので、使用済み媒体２ｂを廃棄媒体保管カセット内に整列した態様で整然と積層させることができる。また、底面５１を傾斜面とすれば、図２を平面視したときの幅方向の長さを短縮することができ、装置を小型化できるという効果もある。
【００５７】
また、廃棄媒体保管カセット５０内の側面には開口部５４が形成され、その開口部５４から廃棄媒体保管カセット５０内に突出するようにレバー式のセンサー５２が設けられていることが好ましい。このレバー式のセンサー５２は、センサー５２のみが廃棄媒体保管カセット５０内に突出するようにセンサー本体５３に設けられているものであり、センサー本体５３は、媒体発行装置１内の他のシャーシ部材に固定されている。
【００５８】
レバー式のセンサー５２は、使用済み媒体２ｂが廃棄媒体保管カセット５０内を落下する際に、そのセンサー５２に当たってセンサーレバーが下側に倒れることにより検知するものである。このセンサー５２により、廃棄媒体保管カセット５０内に投入された使用済み媒体２ｂの量をカウントすることができる。なお、センサーとしては、レバー式のセンサー５２の他、光学式のセンサーを用いてもよい。好ましくは、レバー式のセンサー５２と光学式のセンサーの両方を用いた場合であり、レバー式のセンサー５２で投入枚数のカウントをするとともに、光学式センサー規定の収容量に到達したか否かを検知することができる。光学式センサーは、図示しないが、廃棄媒体保管カセット５０内が使用済み媒体２ｂで満たされる付近の部位に好ましく設けられ、通常は、廃棄媒体保管カセット５０内の上方で、図示のレバー式のセンサー５２の近傍に設けられる。こうしたセンサー５２により、廃棄媒体保管カセット５０を取り外して使用済み媒体２ｂを廃棄処理することが必要であるとの情報を、媒体発行装置１が備える上位の制御装置に出力することができる。
【００５９】
また、廃棄媒体保管カセット５０の上方は、使用済み媒体２ｂが投入され易いように、大きな投入口５５が設けられている。投入口５５には、廃棄媒体搬送装置９０から投入される使用済み媒体２ｂを廃棄媒体保管カセット５０内にガイドするガイド部材５７が設けられていてもよい。なお、このガイド部材５７は、必ずしも廃棄媒体保管カセット５０に設けられていなくてもよく、媒体発行装置１内の他のシャーシ部材に固定されていてもよい。
【００６０】
図３は、廃棄媒体保管カセットの一例を示す斜視図であり、図４は、図３の廃棄媒体保管カセットを反対面から見たときの斜視図である。廃棄媒体保管カセット５０には、図３に示すように、任意の形状からなる引き出し取っ手５９が設けられていることが好ましい。図３に例示した引き出し取っ手５９は、平板を加工して作製したものであり、平板部５８が廃棄媒体保管カセット５０の側面に溶接又はネジ止め等で固定されている。こうした引き出し取っ手５９により、媒体発行装置１内に着脱可能に設けられた廃棄媒体保管カセット５０を簡単に着脱することができる。なお、こうした引き出し取っ手５９は図３に示す形態に限定されず、その取っ手を掴んで手前側に引き出すことができるような形態であれば他の形態であっても構わない。
【００６１】
廃棄媒体保管カセット５０の前記引き出し取っ手５９が設けられた面の反対面には、図４に示すように、廃棄媒体保管カセット５０を媒体発行装置に固定するピン５１１が設けられている。図４においては、２本のカセット位置決めピン５１１が設けられている。図５は、ピン５１１とそのピン５１１を係合固定する係合部材５２１の拡大断面図である。廃棄媒体保管カセット５０を媒体発行装置１の装着する際には、廃棄媒体保管カセット５０に設けられたピン５１１が係合部材５２１の凹部５２４内に挿入されることにより、媒体発行装置１に脱着可能に装着される。その係合部材５２１は、廃棄媒体保管カセット５０を装着位置にセットした際に、ピン５１１に対向する位置に設けられている。
【００６２】
ピン５１１は、図５に示すように、廃棄媒体保管カセット５０の側面側から、第１の円形部材５１３と、当該円形部材５１３よりも小径の第２の円形部材５１４と、前記第１の円形部材５１３と同一径の第３の円形部材５１２とからなり、各円形部材の軸を同一にした形態で構成されている。各円形部材５１２，５１３，５１４は、一体形成されているものであっても良いし、各円形部材５１２，５１３，５１４を重ね合わせて構成したものであっても良い。
【００６３】
係合部材５２１は、ピン５１１の最大直径と同じ円形の凹部５２４を有している。その凹部５２４内には、第２の円形部材５１４に対応するリング５２２が設けられている。そのリング５２２は、ピン５１１をその凹部５２４に挿入して廃棄媒体保管カセット５０の外面５１５が係合部材５２１の対向面５２３に当接した際に、第２の円形部材５１４の凹みに係合して廃棄媒体保管カセット５０を媒体発行装置１に脱着可能に装着するための部材である。こうした係合機構により、媒体発行装置１に対し、廃棄媒体保管カセット５０を横方向位のみの単純操作で容易に着脱することができる。上記では、２本のカセット位置決めピン５１１が設けられているが、その本数は特に限定されず、１本であってもよいし、３本以上であってもよい。また、係合部材５２１が備える凹部５２４に代えて、媒体発行装置１側に設けた貫通穴（図示しない）であってもよい。また、ピン５１１をカセットの専用位置決めとしてのみ使い、係合部材５２１の代わりにローラキャッチ等を設けてもよい。
【００６４】
図６は、ローラキャッチとキーパーの一例を示す形態図である。廃棄媒体保管カセット５０において、例えば上記したピン５１１や係合部材５２１等をカセットの位置決め手段として用いた場合、図６に示すようなローラキャッチ５２５とキーパー５２７を用いて、廃棄媒体保管カセット５０を媒体発行装置１のシャーシ部材に固定してもよい。ローラキャッチ５２５は、バネ機構によって対向ローラ５２６，５２６が向かい合う方向に付勢するようになっており、そのローラキャッチ５２５のローラ間にキーパー５２７の先端５２８が入り込んで固定される。キーパー５２７は廃棄媒体保管カセット５０に固定され、ローラキャッチ５２５は媒体発行装置１内のシャーシ部材（図示しない）に固定されて使用される。
【００６５】
廃棄媒体保管カセット５０は上記のように金属で形成されているので、ピン５２１や係合部材５２１も金属製とし、さらにこの廃棄媒体保管カセット５０が装着される媒体発行装置１のシャーシも金属製とすれば、それらを全て接地させておくことにより、後述する除電した使用済み媒体２ｂを廃棄媒体保管カセット５０に投入した場合であっても、静電気により積層形態が乱れることはない。
【００６６】
（廃棄媒体搬送装置）
次に、廃棄媒体搬送装置９０について詳しく説明する。廃棄媒体搬送装置９０は、図１に示すように、第１の媒体回動部８０と廃棄媒体保管カセット５０との間に設けられ、第１の媒体回動部８０から使用済みの媒体２ｂを受け取って、廃棄媒体保管カセット５０に搬送するための部材である。本発明においては、上記のように媒体繰り出し部２１と媒体排出口１０とが装置側面視（図１を平面視した形態と同じ）で対角位置に配置され、その媒体排出口１０の装置内側下方及び第１の媒体回動部８０の下方にスペースが与えられるので、そのスペースに廃棄媒体搬送装置９０を設けることができる。
【００６７】
図２において、廃棄媒体搬送装置９０は、廃棄媒体搬送装置９０内の媒体搬送路９１が斜めに傾斜するように配置されていることが好ましい。その結果、使用済み媒体２ｂを廃棄媒体保管カセット５０内に傾斜した状態で落下させることができる。このように、傾斜に沿って使用済み媒体２ｂを廃棄媒体保管カセット５０内に落下させることができるので、廃棄媒体搬送装置から廃棄媒体保管カセットへの媒体の受け渡し構造を容易で確実な構造で省スペース化することができる。また、廃棄媒体保管カセットへの媒体の落下姿勢のばらつきを抑え、使用済み媒体を廃棄媒体保管カセット内に整列した態様で積層させることができる。
【００６８】
図７は、図２に示す廃棄媒体搬送装置９０を傾斜角に直交する上方向から見たときの図であり、図８は、廃棄媒体搬送装置９０をＡ方向から見たときの図であり、図９は、図２に示す廃棄媒体搬送装置９０を傾斜角に直交する下方向から見たときの図である。廃棄媒体搬送装置９０における使用済み媒体２ｂの搬送手段は、通常、駆動ローラと、駆動ローラに対向する加圧ローラとにより行われる。例えば図２、図８及び図９においては、駆動ローラ９８と、その駆動ローラ９８に対向して設けられる加圧ローラ９２とで、使用済み媒体２ｂを挟んで搬送する。駆動ローラ９８は、電磁クラッチ９４により回転する軸９４１に固定され、その軸の他端には手動回転用のつまみ９４２が設けられている。また、加圧ローラ９２は、円柱状の支持部材９１７に設けられたバネ９２３と、バネ９２３に連結する連結部材９２４とにより、前記の駆動ローラ９８側に付勢するように設けられている。なお、符号９２５は、連結部材９２４に設けられて、バネ９２３を固定する部材である。
【００６９】
駆動ローラ９８が電磁クラッチ９４で作動する場合、その作動の開始は、図７及び図９に示すセンサー９６，９７が検知したタイミングで行われるが、その他の方法であってもよい。センサー９６，９７は、一般的な光学的センサーであってもよいし、近接スイッチ型のセンサーであってもよい。センサー９６，９７を設ける位置は特に限定されないが、廃棄媒体搬送装置９０の媒体搬送路９１（図２参照）に使用済み媒体２ｂが入ったときに検知できるように、入り口付近にセンサー９６が設けられていることが好ましい。また、駆動ローラ９８の直前にもセンサー９７設けられていることが好ましく、その位置で使用済み媒体２ｂを検知することにより、駆動ローラ９８の始動動作と停止動作を行なうことができる。なお、符号９６１，９７１は、センサー９６，９７の出力端子である。
【００７０】
ここで、廃棄媒体搬送装置９０の作動タイミングについて説明する。廃棄媒体搬送装置９０が第１の媒体回動部８０から媒体２を受け取る場合、センサ９６が媒体２を検知すると対向ローラ９２が駆動され、廃棄媒体搬送装置９０の搬送路９１に媒体２が取り込まれる。そして、センサ９５が媒体２を検知すると、対向ローラ９２の駆動が停止され、媒体２は搬送路９１内に一時保留される。一時保留状態では、両方のセンサ９５、９６が媒体２を検知して、搬送路９１内の媒体２の存在が判断される。廃棄媒体保管カセット５０に使用済み媒体２ｂを投入する場合は、センサ９５のみが媒体２を検知した状態から完全に検知しない状態になるまで、対向ローラ９２が駆動される。
【００７１】
廃棄媒体搬送装置９０は、使用済み媒体２ｂの静電気を除去する除電ブラシ９３を有し、さらに、廃棄媒体保管カセット５０内に送り出す使用済み媒体２ｂを検知するセンサー９５を有している。
【００７２】
除電ブラシ９３は、廃棄媒体搬送装置９０の駆動ローラ９８から廃棄媒体保管カセット５０側であって、駆動ローラ９８の近傍に設けられていることが好ましい。その徐電ブラシ９３は、使用済み媒体２ｂの上面に接触し、使用済み媒体２ｂに帯電した静電気を除去して、使用済み媒体２ｂが廃棄媒体保管カセット５０内の壁面に張り付いたり縦になってしまうのを防ぐことができる。その結果、使用済み媒体２ｂを廃棄媒体保管カセット５０内に整然と積み重ねることができる。このように使用済み媒体２ｂが廃棄媒体保管カセット５０内に整然と積み重ねられることにより、廃棄媒体保管カセット５０内に設けられた光学式センサー（図示しない）による使用済み媒体２ｂの量の正確な検出が妨げられることはない。
【００７３】
除電ブラシ９３は、カーボン製等からなる導電性ブラシであり、除電ブラシ９３の長さは、媒体搬送路９１を通過する使用済み媒体２ｂの上面に接触することができる長さで設けられている。また、除電ブラシ９３の幅は特に限定されないが、効果的な除電を行なう観点からは、媒体幅の１／２程度又はそれ以上の幅であって、使用済み媒体２ｂの幅方向にほぼ中央に設けられていることが好ましい。なお、図７及び図８に示すように、除電ブラシ９３を構成する導電性のブラシは掴持部材９１８によって固定されている。その掴持部材９１８は、ブラケット９２０の曲げ部９２６にネジ等で固定され、そのブラケット９２０は、廃棄媒体搬送装置９０を構成する側板９２１にネジ止め等で固定されている。
【００７４】
また、除電ブラシ９３を駆動ローラ９８の近傍に配置する場合においては、上記のように、媒体搬送路９１を通過する使用済み媒体２ｂの上面に接触するように上方に配置する代わりに、使用済み媒体２ｂの下面に接触するように下方に配置してもよい。
【００７５】
符号９５のセンサーは、媒体搬送路９１の使用済み媒体２ｂが廃棄媒体保管カセット５０内に送り出されるのを検知するためのセンサーであり、したがって、そのセンサー９５は、廃棄媒体搬送装置９０の駆動ローラ９８から廃棄媒体保管カセット５０側であって、通常、使用済み媒体２ｂの幅方向のほぼ中央に設けられている。センサー９５は、図７及び図９に示すように、上記の除電ブラシ９３よりも廃棄媒体保管カセット５０側に配置することが好ましいが、除電ブラシ９３との位置関係が逆であっても構わない。また、センサー９５と除電ブラシ９３とは、媒体搬送路９１の進行方向にほぼ一直線にして幅方向の中央に設けることが好ましく、落下させる使用済み媒体２ｂのバランスを保って、廃棄媒体保管カセット５０内で使用済み媒体２ｂが裏返るのを防ぐことができる。また、センサー９５の種類は、光学式センサーであってもよいし、図示のようなレバー式センサーであってもよい。こうしたセンサー９５を設けることにより、廃棄媒体保管カセット５０内に落下させる使用済み媒体２ｂを検知することができるので、使用済み媒体２ｂの廃棄の実行を媒体発行装置１が備える上位の制御装置に出力することができる。
【００７６】
上記センサー９５がレバー式センサーである場合（以下、レバー式センサーの符号を９５とする。）、そのレバー式センサー９５は、使用済み媒体２ｂを下方に付勢するように作用するので、例えば廃棄媒体保管カセット５０内への使用済み媒体２ｂの落下をアシストすることができる。その結果、落下させる使用済み媒体２ｂのバランスを保って、廃棄媒体保管カセット５０内で使用済み媒体２ｂが裏返ったり壁に張り付いたりするのを防ぐので、廃棄媒体保管カセット５０内の収容量検知用のセンサーの誤動作を防ぐことができる。レバー式センサー９５は、センサー本体９１９に先端が上下するように設けられ、そのセンサー本体９１９はブラケット９２０にはめ込み、接着又はネジ止め等適宜の方法により固定れている。
【００７７】
廃棄媒体搬送装置９０の全体構造は、媒体搬送路９１の幅方向に配置された一対の側板９２１，９２１と、その側板９２１，９２１間を掛け渡す２本の支柱部材９１２，９１３とブラケット９２０とで構成されている。媒体搬送路９１は、廃棄媒体搬送装置９０内の中央に配置され、側板９２１，９２１にネジ等で固定された左右一対の上側搬送ガイド部材９１５，９１５と、同じく側板９２１，９２１にネジ等で固定された左右一対の下側搬送ガイド部材９２７，９２７とで構成されている。このうち、上側搬送ガイド部材９１５，９１５は、図２に示すように、廃棄媒体保管カセット５０の入り口付近まで長く延びているが、下側搬送ガイド部材９２７，９２７は、廃棄媒体保管カセット５０内に落下しやすいように、駆動ローラ９８と除電ブラシ９３との間で終わっている。また、上側搬送ガイド部材９１５，９１５と下側搬送ガイド部材９２７，９２７の媒体搬送路入口部９１６は、図２に示すように、媒体が入りやすいようにテーパ状に開口していることが好ましい。同様に、廃棄媒体搬送装置９０を構成する側板９２１，９２１のうち、媒体搬送路入口部９１６側の側板９２２も、媒体が入りやすいようにテーパ状に開口していることが好ましい。
【００７８】
本発明の使用済み媒体廃棄装置は、こうした廃棄媒体保管カセット５０と廃棄媒体搬送装置９０とを有するので、従来行われていなかった廃券処理を行なうことができるとともに、第１の媒体回動部８０を利用して手間をかけずに迅速に廃棄処理を行なうことができる。また、この廃棄媒体保管カセット５０と廃棄媒体搬送装置９０とは、ユニットとしてワンタッチで着脱可能なように媒体発行装置１に取り付けられていることが好ましい。さらに、上記使用済み媒体廃棄装置を備えた媒体発行装置１を構成すれば、磁気カードやＩＣカード等の媒体の更新発行時において、廃棄することになる使用済み媒体２ｂを容易且つ不具合なく廃棄することができる。その結果、媒体発行装置全体としての利便性やセキュリティを向上させることができる。
【００７９】
（駆動システム）
図１０は、本発明の使用済み媒体廃棄装置を備えた媒体発行装置の駆動方式の実施の形態を示す透視側面図である。この媒体発行装置１においては、本実施の形態の媒体発行装置１は、図１０に示すように、主に２つの駆動モータ（Ａ駆動モータ１４０とＢ駆動モータ１５０）により駆動される。なお、この媒体発行装置１及び駆動システムは例示であって、本発明に係る使用済み媒体廃棄装置が装着される媒体廃棄装置として限定されるものではない。
【００８０】
Ａ駆動モータ１４０は、複数のベルトやプーリが組み合わされて、例えば図１０に示すように、廃棄媒体搬送装置９０、第１の媒体回動部８０、及び非接触通信部１００の各搬送用の対向ローラを駆動して、媒体の搬送を行なう。具体的には、廃棄媒体搬送装置９０における媒体２の搬送を行なうＡ駆動モータ１４０の駆動力は、ベルト１４３を介してプーリ１４１に伝わる。さらに、プーリ１４１の回転駆動は、それに連接されたギア１４２により廃棄媒体搬送装置９０の対向ローラ９２に伝達されこれを駆動させる。そして、対向ローラ９２への駆動力伝達が電磁クラッチ９４によって接続（電磁クラッチ９４がＯＮ状態）又は切断（電磁クラッチ９４がＯＦＦ状態）されることにより、廃棄すべき使用済み媒体を一時的に保持する一時保留部である廃棄媒体搬送装置９０における媒体の保持、第１の媒体回動部８０への媒体の戻し、又は、廃棄媒体保管カセット５０への媒体の送り等が行われる。
【００８１】
すなわち、廃棄媒体搬送装置９０において、媒体搬送路９１内に保持された使用済み媒体２ｂは、装置の上位からの指示で電磁クラッチ９４がＯＮし、さらにＡ駆動モータ１４０からの駆動がギア１４２から伝達されることにより、廃棄媒体保管カセット５０内に送り出される。このとき、電磁クラッチ９４がＯＮの場合のみ駆動ローラ９８が動作する。
【００８２】
また、そのプーリ１４１にかけられた他のベルト１４４は、第１の媒体回動部８０の搬送駆動軸１４５と非接触通信部１００の搬送用の対向ローラ１０３と同軸配置したプーリに掛け渡されている。そのため、Ａ駆動モータ１４０の駆動力は、非接触通信部１００の対向ローラ１０３を駆動して、媒体を第１の媒体回動部８０側に搬送したり、媒体排出口１０側に搬送したりする。また、第１の媒体回動部８０の搬送駆動軸１４５は、ベルトとプーリを介して対向ローラ８３を回転させ、さらにその対向ローラ８３は、ベルトとプーリを介して他の対向ローラ８２を回転させるので、Ａ駆動モータ１４０の駆動力は、第１の媒体回動部８０の対向ローラ８２，８３を駆動して、媒体を第１の媒体回動部８０内に保持したり、印字装置７０、非接触通信部１００及び廃棄媒体保管カセット５０との間で媒体の搬送したりすること等が行われる。
【００８３】
なお、第１の媒体回動部８０の回動軸８４の回動は、その回動軸８４にベルトを介して動力を送る回動軸用モータ８５により行われる。
【００８４】
Ｂ駆動モータ１５０もＡ駆動モータ１４０と同様、複数のベルトやプーリが組み合わされて、例えば図１０に示すように、印字装置７０、第２の媒体回動部６０、及びクリーニング媒体保持部１１０の各搬送用のローラを駆動して、媒体の搬送を行なう。具体的には、Ｂ駆動モータ１５０の駆動力は、ベルト１５３を介してプーリ１５１，１５２に伝わり、そのプーリ１５１，１５２が備えるプーリに同軸状に連接したプラテンローラ３４，３４を回転させるとともに、そのプラテンローラ３４と同軸上のプーリからベルトを介して媒体搬送用の対向ローラ３１，３２，３３を回転させる。こうした回転により、印字装置７０内での媒体の搬送等が行われる。
【００８５】
また、Ｂ駆動モータ１５０の駆動力は、媒体搬送用の対向ローラ３１と同軸状に連接したプーリにかけられた他のベルト１５６を介してクリーニング媒体保持部１１０のプーリ１５４に伝わり、そのプーリ１５４に連接されたギア１５７によりクリーニング媒体保持部１１０の１１２を駆動させる。これにより、クリーニング媒体保持部１１０におけるクリーニング媒体の保持、第２の媒体回動部６０へのクリーニング媒体の授受等が行われる。
【００８６】
さらに、Ｂ駆動モータ１５０の駆動力は、媒体搬送用の対向ローラ３１と同軸状に連接したプーリにかけられた他のベルト１５６を介してクリーニング媒体保持部１１０のプーリ１５４に伝わり、そのプーリ１５４に連接されたギア１５７によりクリーニング媒体保持部１１０の対向ローラ１１２を駆動させる。そして、電磁クラッチ１１３が切断（ＯＦＦ状態）されている場合は、クリーニング媒体保持部１１０におけるクリーニング媒体の保持がなされ、電磁クラッチ１１３が接続（ＯＮ状態）されている場合には、Ｂ駆動モータ１５０の回転に応じて、第２の媒体回動部６０との間でのクリーニング媒体１１４の授受が行われる。
【００８７】
なお、第２の媒体回動部６０の回動軸６４の回動は、その回動軸６４にベルトを介して動力を送る回動軸用モータ６５により行われる。
【００８８】
以上のように、媒体２の搬送用の駆動モータを用いることにより、媒体の更新発行のように、古い媒体と新しい媒体とを装置内で独立に搬送することができるので、処理時間を短縮することができるとともに、ベルトやプーリ等の削減も可能になるので、小型化と低コストかを実現できる。なお、図１及び図１０においては、Ａ駆動モータ１４０とＢ駆動モータ１５０の２つを主に用いているが、一つの駆動モータで構成してもよい。なお、一つの駆動モータで構成する場合は、機械的なクラッチ等で設けることが好ましい。
【００８９】
（媒体発行方法）
次に、新規発行の動作について説明する。媒体２の新規発行は、ホッパー２０内に積層された媒体２のうち最低位の媒体２ａを押出部材２２１の爪部にて繰り出して、第２の媒体回動部６０内に搬送した後、第２の媒体回動部６０を傾斜搬送路３０と同じ角度に回動させて媒体の搬送方向を切替る。次に、第２の媒体回動部６０から傾斜搬送路３０上に配置された印字装置７０内に搬送し、印字装置７０が備える印字ヘッド７１により媒体表面に所定の情報が印字される。このときの印字ヘッド７１は、印字ヘッド駆動モータ７４により媒体表面に接触するまで印字ヘッド７１を下降し、媒体表面に接触した状態で印字する。印字が終了した後は、印字ヘッド駆動モータ７４により印字ヘッド７１を元の位置に上昇する。その後、媒体２は、傾斜搬送路３０と同じ角度に回動した状態で待機している第１の媒体回動部８０に搬送される。媒体２を受け取った第１の媒体回動部８０は、媒体２を非接触通信部１００に搬送するために水平方向になるまで回動し、その後、非接触通信部１００に搬送する。この非接触通信部１００においては、アンテナ部１０４と媒体２との間の非接触通信によって媒体２に内蔵されているＩＣに所定の情報が格納記憶され、最後に、媒体排出口１０に媒体２が送られて利用者の手に渡る。なお、必要により、非接触通信部１００による処理の前に、第１の媒体回動部８０から一旦分岐して、磁気媒体リーダライタ１２０による磁気データの記録処理が行なわれてもよい。
【００９０】
次に、書き換え発行の動作について説明する。書き換え発行は、媒体排出口１０に使用中の媒体２が挿入されると、媒体排出口１０が備える幅センサ（図示しない）がカード状媒体２を検知し、シャッタ１１を開けて非接触通信部１００に搬送される。非接触通信部１００では、媒体２に内蔵されているＩＣとの間で所定の情報の読み取り及び書き込みが非接触通信により実行され、その後非接触通信部１００と同じ水平に保持された第１の媒体回動部８０に搬送される。媒体２を受け取った第１の媒体回動部８０は、傾斜搬送路３０と同じ角度まで回動した後、印字装置７０内に媒体２を搬送し、その後、傾斜搬送路３０と同じ角度まで回動させておいた第２の媒体回動部６０まで媒体２を搬送する。その第２の媒体回動部６０から、装置上位からの指示で再度印字装置７０内に搬送し、先ず、消去ヘッド７２で今までの印字データを消去し、引き続いて、印字ヘッド７１で新しい情報を印字する。印字した後は、第１の媒体回動部８０、非接触通信部１００を経由して、媒体排出口１０から利用者の手に返却される。なお、この場合も、必要により、非接触通信部１００による処理の後に、磁気媒体リーダライタ１２０による磁気データの記録処理が行なわれてもよい。
【００９１】
次に、更新発行の動作について説明する。更新発行（使用可能期限となった媒体を廃棄し、新たに媒体を発行することをいう）は、媒体排出口１０に使用中の媒体２が挿入されると、媒体排出口１０が備える幅センサがカード状媒体２を検知し、シャッタ１１を開けて非接触通信部１００に搬送される。非接触通信部１００では、媒体２に対する非接触通信による所定の情報の読み取りみが実行され、この通信結果に基づき更新発行とすることが決定されると、更新のため読み取られた所定の情報は上位装置等に一時保存される。そして、更新される媒体２は非接触通信部１００と同じ水平に保持された第１の媒体回動部８０に搬送される。第１の媒体回動部８０に取り込まれた媒体２は、傾斜搬送路３０には搬送されず、第１の媒体回動部８０を逆回転により、斜め下方に配置された一時保留部としての廃棄媒体搬送装置９０に搬送され、廃棄処理待ちの媒体として保持される。次に、上記の新規発行と同じ手順で新しい媒体２が発行される。この新しい媒体２が第１の媒体回動部８０を経由して、非接触通信部１００に搬送されそこで、上位装置等に一時保存された情報が新しい媒体２に対して書き込まれる。そして、この書き込みが確認され、又は媒体排出口１０から利用者の手に新たな媒体２が渡ったことが確認された時点で、一時保留部である廃棄媒体搬送装置９０に保持された廃棄処理待ちの使用済み媒体２は、更にその斜め下方の廃棄媒体保管カセット５０に除電ブラシ９３で除電されて投入される。
【００９２】
以上説明したように、本発明に係る使用済み媒体廃棄装置が装着された一例としての媒体発行装置によれば、磁気カードやＩＣカード等の新規発行や更新発行、さらには書き換え発行を行なうことができる、省スペース対応の媒体発行装置を提供することができる。さらに、処理時間が短く、媒体両面への印字も可能で、ホッパーの収容量も増すことができる媒体発行装置を提供することができる。
【図面の簡単な説明】
【００９３】
【図１】本発明の使用済み媒体廃棄装置が好ましく装着される媒体発行装置の一例を示す透視側面図である。
【図２】本発明の使用済み媒体廃棄装置を側面視したときの透視図である。
【図３】廃棄媒体保管カセットの一例を示す斜視図である。
【図４】図３の廃棄媒体保管カセットを反対面から見たときの斜視図である。
【図５】ピンとそのピンを係合固定する係合部材の拡大断面図である。
【図６】ローラキャッチとキーパーの一例を示す形態図である。
【図７】図２に示す廃棄媒体搬送装置を傾斜角に直交する上方向から見たときの図である。
【図８】廃棄媒体搬送装置をＡ方向から見たときの図である。
【図９】図２に示す廃棄媒体搬送装置を傾斜角に直交する下方向から見たときの図である。
【図１０】本発明の使用済み媒体廃棄装置を備えた媒体発行装置の駆動方式の一例を示す透視側面図である。
【符号の説明】
【００９４】
１  媒体発行装置
２，２ａ  媒体
２ｂ  使用済み媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２３  ゲート部
２４  シャッタ
２５  カセット式媒体収納容器
２６  おもり
３０  傾斜搬送路
３１，３２，３３  対向ローラ
３４  プラテンローラ
５０  廃棄媒体保管カセット（リジェクトカセット）
５１  底面
５２  センサー
５３  センサー本体
５４  開口部
５５  投入口
５７  ガイド部材
５８  平板部
５９  引き出し取っ手
５１１  ピン
５１２  第３の円形部材
５１３  第１の円形部材
５１４  第２の円形部材
５１５  廃棄媒体保管カセットの外面
５２１  係合部材
５２２  リング
５２３  対向面
５２４  凹部
５２５  ローラキャッチ
５２６  ローラ
５２７  キーパー
５２８  キーパー先端
６０  第２の媒体回動部
６１  搬送路
６２，６３  対向した搬送用のローラ
６４  回動軸
６５  回動軸用モータ
７０  印字装置
７１  印字ヘッド
７２  消去ヘッド
７３  消去ヘッド駆動モータ
７４  印字ヘッド駆動モータ
８０  第１の媒体回動部
８１  搬送路
８２，８３  対向ローラ
８４  回動軸
８５  回動軸用モータ
９０  廃棄媒体搬送装置
９１  媒体搬送路
９１２，９１３  支柱部材
９１５  上側搬送ガイド部材
９１６  媒体搬送路入口部
９１７  支持部材
９１８  掴持部材
９１９  センサー本体
９２０  ブラケット
９２１  側板
９２２  媒体搬送路入口部側の側板
９２３  バネ
９２４  連結部材
９２５  バネの固定部材
９２６  取付板
９２７  下側搬送ガイド部材
９２  加圧ローラ
９３  徐電ブラシ
９４  電磁クラッチ
９４１  軸
９４２  手動回転用のつまみ
９４３  ギア部
９５  レバー式センサー
９６，９７  センサー
９６１，９７１  センサーの出力端子
９８  駆動ローラ
１００  非接触通信部
１０１  搬送路
１０２，１０３  対向ローラ
１０４  アンテナ部
１０５  センサー
１１０  クリーニング媒体保持部
１１１  搬送路
１１２  対向ローラ
１１３  電磁クラッチ
１１４  クリーニング媒体
１２０  磁気媒体リーダライタ
１２１  搬送路
１２３  対向ローラ
１２４  電磁クラッチ
１３０  電源部
１４０  Ａ駆動モータ
１４１  プーリ
１４２  ギア
１４３，１４４  ベルト
１４５  搬送駆動軸
１５０  Ｂ駆動モータ
１５１，１５２，１５４  プーリ
１５３，１５６  ベルト
１５５  搬送駆動軸
１５７  ギア
【図１】
0004813948.tif 000002
【図２】
0004813948.tif 000003
【図３】
0004813948.tif 000004
【図４】
0004813948.tif 000005
【図５】
0004813948.tif 000006
【図６】
0004813948.tif 000007
【図７】
0004813948.tif 000008
【図８】
0004813948.tif 000009
【図９】
0004813948.tif 000010
【図１０】
0004813948.tif 000011